(57)【要約】【課題】多孔質板の裏面の塗り斑及び防水性の劣化を極力抑止することが可能な多孔質板の塗装方法を提供する。【解決手段】表面が凹部１０ａ及び凸部１０ｂから成ると共に裏面が平面から成るＡＬＣ１０板と、両主面が平面から成る支持板２０と、搬送用ローラー４３に連動して回転する搬送用ベルト４４と、を準備し、支持板２０を搬送用ベルト４４の下方に搬送用ベルト４４に接するように載置し、ＡＬＣ板１０を支持板２０上で平面となっている搬送用ベルト４４の面上で支持して、ＡＬＣ板１０を搬送用ベルト４４の回転により移動させながら、ＡＬＣ板１０の裏面を塗装する。【選択図】  図２
2010029866.tif 000002
【特許請求の範囲】
【請求項１】
その第１の主面は凹部及び凸部を有し、かつ第２の主面は平面から成る多孔質板と、その両主面が平面から成る支持板と、搬送ローラーに連動して回転する搬送ベルトと、を準備し、
前記支持板を前記搬送ベルトの下方に前記搬送ベルトに接するように載置し、
前記多孔質板の第１の主面を前記支持板上で平面となっている前記搬送ベルトの面上で支持して、前記多孔質板を前記搬送ベルトの回転により移動させながら、前記多孔質板の第２の主面を塗装することを特徴とする多孔質板の塗装方法。
【請求項２】
その第１の主面は凹部及び凸部を有し、かつ第２の主面は平面から成る多孔質板と、その両主面が平面から成る支持板と、搬送ローラーに連動して回転する搬送ベルトと、第１のローラーと、第２のローラーと、を準備し、
前記支持板を前記搬送ベルトの下方に前記搬送ベルトに接するように載置し、
前記第１のローラー及び前記第２のローラーを所定の回転方向に回転させながら、前記第１のローラーと前記第２のローラーが接する箇所に塗料を滴下すると共に、前記多孔質板の第１の主面を前記支持板上で平面となっている前記搬送ベルトの面上で支持して前記多孔質板を前記搬送ベルトの回転により移動させながら、前記多孔質板の第２の主面を塗装することを特徴とする多孔質板の塗装方法。
【請求項３】
前記多孔質板の第２の主面を塗装する工程の前に、
前記多孔質板の第１の主面を塗装する工程を含むことを特徴とする請求項１または請求項２に記載の多孔質板の塗装方法。
【請求項４】
前記多孔質板の第１の主面が有する凹部及び凸部は、意匠に係る凹凸であることを特徴とする１，２，３のうちいずれか１項に記載の多孔質板の塗装方法。
【請求項５】
前記多孔質板は、軽量気泡コンクリートであることを特徴とする請求項１，２，３，４のうちいずれか１項に記載の多孔質板の塗装方法。
【請求項６】
前記支持板は、鉄板から成ることを特徴とする請求項１，２，３，４，５のうちいずれか１項に記載の多孔質板の塗装方法。
【発明の詳細な説明】
【技術分野】
【０００１】
本発明は、多孔質板の塗装方法に関し、さらに言えば、表面に凹凸を有する多孔質板（例えば軽量気泡コンクリート）の裏面を塗装する工程を有する多孔質板の塗装方法に関するものである。
【背景技術】
【０００２】
従来、建物の外壁としては、土等を塗った土壁等のように、建築現場で施工する外壁が多かったが、最近では、外壁材を工場等で生産し、この外壁材を建物の外壁部分に取り付けた外壁が、速く、均質に、しかも、見栄え良く施工できる等の理由により、広く普及してきている。
【０００３】
工場生産される外壁材としては、多孔質板であるＡＬＣ（Ａｕｔｏｃｌａｖｅｄ  Ｌｉｇｈｔ−ｗｅｉｇｈｔ  Ｃｏｎｃｒｅｔｅ；軽量気泡コンクリート）、プレキャストコンクリート、硬質木片セメント等が用いられることが多い。
【０００４】
特に、ＡＬＣから成る外壁材（以下、ＡＬＣ板と呼ぶ）は、軽量であるために施工し易く、多くの外壁材に用いられている。次に、従来例に係るＡＬＣ板について、図面を参照して説明する。
【０００５】
図３に示すように、ＡＬＣ板１０の第１の主面、即ち表面には、彫りの深い凹部１０ａ及び凸部１０ｂから成る模様が形成されている。この凹部１０ａ及び凸部１０ｂから成る模様は、例えば住宅用の外壁材として当該ＡＬＣ板１０を用いる場合、その外観を向上するための意匠に係るものである。一方、このＡＬＣ板１０の第２の主面、即ち裏面は、平面となっている。
【０００６】
さらに、ＡＬＣ板１０の表面及び裏面の外観の向上や防水性の向上を図るため、ＡＬＣ板１０の両面には塗装が施される。上記塗装の方法としては、従来から、刷毛塗り、スプレー塗装、ロールコーター、フローコーター、ディッピングによる方法等が知られている。ここで、ロールコーターとは、塗料が塗布された塗装用ローラーと、ＡＬＣ板１０を搬送及び支持する搬送用ローラーとを有し、ＡＬＣ板１０を塗装用ローラーと搬送用ローラーとの間に挟むようにして挿入し、上記両ローラーの回転により、ＡＬＣ板１０の主面を塗装する塗装装置である。
【０００７】
次に、ロールコーターによる従来例に係るＡＬＣ板１０の塗装方法について、図面を参照して説明する。
【０００８】
最初に、ＡＬＣ板１０の表面が塗装される。その際、まず、ＡＬＣ板１０の表面の凹部１０ａが、例えばスプレー塗装により塗装される。その後、ＡＬＣ板１０の表面がロールコーター３０により塗装される。即ち、ＡＬＣ板１０の表面の凸部１０ｂが塗装用ローラー３１に接し、その裏面が搬送用ローラー３３に接するように、ＡＬＣ板１０が、塗装用ローラー３１と搬送用ローラー３３の間に挿入される。ここで、塗装用ローラー３１と、塗装用ローラー３１に接するドクターローラー３２との接触部近傍上に塗料が滴下される。そして、搬送用ローラー３３の回転によりＡＬＣ板１０が移動すると同時に、その表面が塗装される。
【０００９】
次に、ＡＬＣ板１０の裏面が塗装される。その際、図４に示すように、ＡＬＣ板１０の裏面が塗装用ローラー３１に接し、その表面（凹部１０ａ及び凸部１０ｂが形成されて成る主面）が搬送用ローラー３３に接するように、ＡＬＣ板１０が、塗装用ローラー３１と搬送用ローラー３３の間に挿入される。ここで、塗装用ローラー３１と、塗装用ローラー３１に接するドクターローラー３２との接触部近傍上に塗料が滴下される。そして、搬送用ローラー３３の回転により、ＡＬＣ板１０が移動すると同時に、その裏面が塗装される。
【００１０】
なお、関連する技術文献としては、例えば以下の特許文献１が挙げられる。
【先行技術文献】
【特許文献】
【００１１】
【特許文献１】特開２００２−１２６５９４号公報
【発明の概要】
【発明が解決しようとする課題】
【００１２】
しかしながら、図４に示すように、ＡＬＣ板１０の裏面を塗装する際、凹部１０ａ及び凸部１０ｂを有したＡＬＣ板１０の表面が搬送用ローラー３３に接しているため、搬送用ローラー３３上において、ＡＬＣ板１０が移動する際に、ＡＬＣ板１０が不安定な状態（即ち、上記凹部１０ａ及び凸部１０ｂに応じた細動もしくはがたつきを伴う状態）で支持されながら移動する。言い換えるならば、ＡＬＣ板１０の裏面が塗装用ローラー３１に不安定な状態で接することになり、ＡＬＣ板１０の裏面の塗装に塗り斑が生じてしまう。この塗り斑により、ＡＬＣ板１０の裏面の外観が劣化すると共に、当該裏面の防水性が劣化するという問題が生じていた。
【課題を解決するための手段】
【００１３】
本発明の多孔質板の塗装方法は、その第１の主面は凹部及び凸部を有し、かつ第２の主面は平面から成る多孔質板と、その両主面が平面から成る支持板と、搬送ローラーに連動して回転する搬送ベルトと、を準備し、支持板を搬送ベルトの下方に搬送ベルトに接するように載置し、多孔質板の第１の主面を支持板上で平面となっている搬送ベルトの面上で支持して、多孔質板を搬送ベルトの回転により移動させながら、多孔質板の第２の主面を塗装することを特徴とする。
【００１４】
また、本発明の多孔質板の塗装方法は、その第１の主面は凹部及び凸部を有し、かつ第２の主面は平面から成る多孔質板と、その両主面が平面から成る支持板と、搬送ローラーに連動して回転する搬送ベルトと、第１のローラーと、第２のローラーと、を準備し、支持板を搬送ベルトの下方に搬送ベルトに接するように載置し、第１のローラー及び第２のローラーを所定の回転方向に回転させながら、第１のローラーと第２のローラーが接する箇所に塗料を滴下すると共に、多孔質板の第１の主面を支持板上で平面となっている搬送ベルトの面上で支持して多孔質板を搬送ベルトの回転により移動させながら、多孔質板の第２の主面を塗装することを特徴とする。
【００１５】
また、本発明の多孔質板の塗装方法は、上記工程において、多孔質板の第２の主面を塗装する工程の前に、多孔質板の第１の主面を塗装する工程を含むことを特徴とする。
【００１６】
また、本発明の多孔質板の塗装方法は、上記工程において、多孔質板の第１の主面が有する凹部及び凸部は、意匠に係る凹凸であることを特徴とする。
【００１７】
また、本発明の多孔質板の塗装方法は、上記工程において、多孔質板は、軽量気泡コンクリートであることを特徴とする。
【００１８】
また、本発明の多孔質板の塗装方法は、上記工程において、支持板は、鉄板から成ることを特徴とする。
【発明の効果】
【００１９】
本発明によれば、被塗装面である多孔質板の裏面が塗装用ローラーに安定した状態で接することになり、塗装時に生じる塗り斑の発生が極力抑止される。
【００２０】
また、本発明によれば、上記多孔質板の裏面の塗り斑による外観や防水性の劣化の抑止を、多孔質板と共に支持板を用いることのみにより実現することができる。その結果、塗装装置であるロールコーターの設計変更や新規導入を必要とせずに、既存のロールコーターを用いることができるため、塗装コストの増大を極力抑止することができる。
【図面の簡単な説明】
【００２１】
【図１】参考例に係る多孔質板の塗装方法を説明する図である。
【図２】本発明の実施形態に係る多孔質板の塗装方法を説明する図である。
【図３】従来例に係る多孔質板の塗装方法を説明する図である。
【図４】従来例に係る多孔質板の塗装方法を説明する図である。
【発明を実施するための形態】
【００２２】
次に、参考例に係る多孔質板の塗装方法について図面を参照して説明する。参考例に係る多孔質板の塗装方法では、塗装の対象となる多孔質板は、例えばＡＬＣ板であるとする。このＡＬＣ板は、図３に示したＡＬＣ板と同様に、その第１の主面である表面に凹部１０ａ及び凸部１０ｂが形成されている。この凹部１０ａ及び凸部１０ｂは、例えばＡＬＣ板の外観を向上し得る意匠に係る凹凸模様である。
【００２３】
また、上記凹部１０ａ及び凸部１０ｂが形成されたＡＬＣ板１０の表面は、既に塗装済みであるものとする。即ち、以下に示す参考例は、主にＡＬＣ板１０の裏面の塗装方法について説明を行うものである。
【００２４】
次に、ＡＬＣ板１０の裏面を塗装する工程について図１を参照して説明する。図１は、参考例に係るＡＬＣ板１０の裏面を塗装する工程を説明する図である。この工程では両方の主面が平面から成る支持板２０が準備されている。この支持板２０は、例えば、歪みの無い水平板として形成された鉄板であることが好ましい。また、塗装装置であるロールコーター３０が準備されている。
【００２５】
このロールコーター３０は、例えば、図４に示したロールコーター３０と同じものであり、以下のような構成を有する。なお、図４に示したものと同じ構成要素については同一の符号を付して説明する。即ち、ロールコーター３０は、被塗装体（即ちＡＬＣ板１０）の塗装される面と接触し得る塗装用ローラー３１（第１のローラー）と、当該塗装用ローラー３１に接するドクターローラー３２（第２のローラー）と、当該塗装用ローラー３１の下方で所定の間隔を以って当該塗装用ローラー３１と対向する搬送用ローラー３３（第３のローラー）と、を具備する。
【００２６】
ここで、ドクターローラー３２は、不図示の駆動手段（例えばモーター）と接続しており、その駆動手段によって回転する。また、塗装用ローラー３１はドクターローラー３２と接しているため、ドクターローラー３２の回転に応じて回転する。また、搬送用ローラー３３は、例えばベルト３４を介して（もしくは直接に）駆動手段３５と接続されており、その駆動手段３５によって回転する。
【００２７】
最初に、ＡＬＣ板１０の表面（凹部１０ａ及び凸部１０ｂが形成されている面）が支持板２０に接するようにして、ＡＬＣ板１０を支持板２０上に載置する。
【００２８】
次に、不図示の駆動手段及び駆動手段３５により、ロールコーター３０の塗装用ローラー３１、ドクターローラー３２及び搬送用ローラー３３をそれぞれ所定の回転方向に回転させながら、塗装用ローラー３１とドクターローラー３２との接触部近傍上に塗料を滴下する。
【００２９】
次に、ＡＬＣ板１０の裏面（平面から成る主面）が塗装用ローラー３１に接し、かつ支持板２０（平面から成る主面）が搬送用ローラー３３に接するように、支持板２０上に載置されたＡＬＣ板１０を、支持板２０と共に、同時に塗装用ローラー３１と搬送用ローラー３３の間に挿入する。そして、搬送用ローラー３３の回転によりＡＬＣ板１０及び支持板２０が移動すると共に、塗装用ローラー３１と接したＡＬＣ板１０の裏面が塗装される。
【００３０】
その際、凹部１０ａ及び凸部１０ｂを有したＡＬＣ板１０の表面は搬送用ローラー３３と接することなく、替わりに、支持板２０が搬送用ローラー３３に接する。即ち、搬送用ローラー３３は、平面から成る支持板２０の主面に接する。
【００３１】
従って、支持板２０上に載置されたＡＬＣ板１０は、その裏面を塗装する際の搬送用ローラー３３上における移動時に、安定した状態（即ち、従来例にみられたような、上記凹部１０ａ及び凸部１０ｂに応じた細動もしくはがたつきを伴わない状態）で支持されながら移動する。言い換えるならば、被塗装面であるＡＬＣ板１０の裏面が塗装用ローラー３１に安定した状態で接することになり、ＡＬＣ板１０の裏面の塗装時に生じる塗り斑の発生が極力抑止される。その結果、ＡＬＣ板１０の裏面の塗り斑による外観の劣化や、防水性の劣化が極力抑止される。
【００３２】
さらに、上記ＡＬＣ板１０の裏面の塗り斑による外観や防水性の劣化の抑止を、ＡＬＣ板１０と共に支持板を用いることのみにより実現することができる。その結果、塗装装置であるロールコーター３０の設計変更や新規導入を必要とせずに、既存のロールコーター３０を用いることができるため、塗装コストの増大を極力抑止することができる。
【００３３】
なお、上述した参考例では、上記ＡＬＣ板１０の裏面を塗装する工程を開始する直前に、必要に応じて、当該裏面に付着した汚れを、ブラッシングやエアーブロー等により除去する工程を設けてもよい。また、上記ＡＬＣ板１０の裏面を塗装する工程が完了した後、必要に応じてＡＬＣ板１０の裏面を乾燥させる工程を設けてもよい。
【００３４】
また、上述した参考例では、凹部１０ａ及び凸部１０ｂが形成されたＡＬＣ板１０の表面は、既に塗装済みであるものとしたが、その塗装工程は、例えば次に示すように、その一部においてロールコーター３０を用いてもよい。これにより、ＡＬＣ板１０の表面及び裏面の両主面の塗装に、同一のロールコーター３０を用いることができるため、塗装コストの増大を極力抑止することが可能となる。
【００３５】
ＡＬＣ板１０の表面を塗装する工程では、まず、ＡＬＣ板１０の表面の凹部１０ａが、例えばスプレー塗装により塗装される。その後、ロールコーター３０により、ＡＬＣ板１０の表面に形成された凸部１０ｂが塗装される。その際、ＡＬＣ板１０は、ＡＬＣ板１０の表面に形成された凸部１０ｂが塗装用ローラー３１に接すると共に、平面から成るＡＬＣ板１０の裏面が搬送用ローラー３３に接するように、塗装用ローラー３１と搬送用ローラー３３との間に挿入される。ここで、塗装用ローラー３１と、塗装用ローラー３１に接するドクターローラー３２との接触部近傍上に塗料が滴下される。そして、搬送用ローラー３３の回転によりＡＬＣ板１０が移動すると共に、その表面の凸部１０ｂが塗装される。こうしてＡＬＣ板１０の表面の塗装を完了した後、必要に応じて、ＡＬＣ板１０の表面を乾燥させる。
【００３６】
上記ＡＬＣ板１０の表面を塗装及び乾燥する工程は、必ずしも、ＡＬＣ板１０の裏面を塗装する工程の前に行われる必要はない。即ち、ＡＬＣ板１０の表面を塗装及び乾燥する工程は、ＡＬＣ板１０の裏面を塗装する工程の後に行われるものであってもよい。
【００３７】
また、参考例に係るＡＬＣ板１０の塗装方法は、その一方の主面、即ち裏面に凹部１０ａ及び凸部１０ｂが形成されたＡＬＣ板１０に適用したが、本発明はこれに限定されない。即ち、その両主面に凹部１０ａ及び凸部１０ｂが形成された多孔質板（例えばＡＬＣ板）に対して適用されるものであってもよい。この場合、多孔質板のいずれの主面の塗装工程においても、当該多孔質板を支持板２０上に載置して塗装を行えばよい。
【００３８】
また、参考例で用いる支持板２０は、鉄板から成るものとしたが、本発明はこれに限定されない。即ち、支持板の主面と接するＡＬＣ板１０の凹凸が、搬送用ローラー３３と接する側の支持板の主面に反映されず、搬送用ローラー３３と接する当該支持板の主面が常に平面もしくは略平面となるものであれば、鉄板以外から成る支持板を用いてもよい。例えば、弾力性を有した（所定の粘性係数を有した）支持板等を用いてもよい。
【００３９】
次に、本発明の実施形態によるロールコーターを説明する。本実施形態におけるロールコーター３０は、図２に示すように、複数の搬送用ローラー４３及びそれに連動する搬送用ベルト４４から成るベルトコンベアー型の搬送部４０を有するようにしたものである。
この場合、支持板２０は、搬送用ベルト４４の下方に載置される。ここで、支持板２０は、搬送用ベルト４４と接しつつ、かつ当該搬送用ベルト４４と極力摩擦が生じないようにして載置される。そして、搬送用ローラー４３に連動して搬送用ベルト４４が回転することにより、ＡＬＣ板１０が、支持板２０上で平面となっている搬送用ベルト４４の面上で支持されながら移動する。これにより、当該ＡＬＣ板１０の被塗装面は、塗装用ローラー３１に安定した状態で接する。従って、ＡＬＣ板１０の塗装時に生じる塗り斑の発生が極力抑止される。
【００４０】
また、本実施形態の適用の対象となる被塗装体は、多孔質板であるＡＬＣ板１０としたが、本発明はこれに限定されず、上記ＡＬＣ板１０に類似した構造（一方もしくは両方の主面に凹部１０ａ及び凸部１０ｂが形成されて成る板であり、ロールコーターにより塗装可能な材質から成る板）であれば、ＡＬＣ板以外の被塗装体に対して適用されるものであってもよい。
【符号の説明】
【００４１】
１０  ＡＬＣ板            １０ａ  凹部                  １０ｂ  凸部
２０  支持板              ３０  ロールコーター          ３１  塗装用ローラー
３２  ドクターローラー    ３３，４３  搬送用ローラー    ３４  ベルト
３５  駆動装置            ４０  搬送部                  ４４  搬送用ベルト
【図１】
2010029866.tif 000003
【図２】
2010029866.tif 000004
【図３】
2010029866.tif 000005
【図４】
2010029866.tif 000006